(57)【要約】      （修正有）【課題】たい焼きのような目的を持った型焼き菓子の製作ではなく、各種の食材を収容することができる食用のカップ自体を製作するための器具を提供する。【解決手段】全体が適当大きさに成る下器体１に任意形態から成る凹型部３を設け、この凹型部の周壁面には凹溝部などの模様部４を形成し、下器体に対応する同形状に成る上器体８に下器体の凹型部に嵌合する凸型部１０を設けて成る食用カップメーカーであり、このように成る下器体及び上器体の各一側部には着脱し得るように成る開閉弁を設けて成る。【選択図】図２
2016171970.tif 000002
【特許請求の範囲】
【請求項１】
全体が適当大きさに成る下器体に任意形態から成る凹型部を設け、前記下器体に対応する同形状に成る上器体に前記下器体の凹型部に嵌合する凸型部を設けて成ることを特徴とする食用カップメーカー。
【請求項２】
全体が適当大きさに成る下器体に任意形態から成る凹型部を設け、この凹型部の周壁面には模様部を形成し、前記下器体に対応する同形状に成る上器体に前記下器体の凹型部に嵌合する凸型部を設け、このように成る下器体及び上器体の各一側部には着脱し得るように成る開閉弁を設けて成ることを特徴とする食用カップメーカー。
【発明の詳細な説明】
【技術分野】
【０００１】
本発明は、各種の食材を収容することができる食用となるカップを製作するカップメーカーに関するものである。
【背景技術】
【０００２】
本発明者は、かつて下記の特許文献１に示した型焼き菓子製作器に関する発明をしているが、これは上下の両型体を脱着し得るようにすることにより、不使用時には洗浄や収容等が円滑にできる利便性のある焼き菓子製作器を提供することを目的としたものであったから、たい焼きやもみじ焼き等の型焼き菓子の製作を専ら目的とするものであった。
【０００３】
また、同様の目的を有する焼き菓子成型器としては特許文献２乃至４に示したものがあるところ、これらもまた開閉上下両型が常に一体に成るものであるとともに専ら所定の型焼き菓子を製作することを目的とするものであった。
【先行技術文献】
【特許文献】
【０００４】
【特許文献１】特開２０１２−１５７４２４号公報
【特許文献２】特許第３７４１９０６号公報
【特許文献３】特許第４１８７２２１号公報
【特許文献４】特許第４３３８５０２号公報
【発明の概要】
【発明が解決しようとする課題】
【０００５】
そこで、本発明は、たい焼きのような目的を持った型焼き菓子の製作ではなく、各種の食材を収容することができる食用のカップ自体を製作するための器具を提供することを目的とするものである。
【課題を解決するための手段】
【０００６】
本発明は、全体が適当大きさに成る下器体に任意形態から成る凹型部を設け、この凹型部の周壁面には凹溝部などの模様部を形成し、前記下器体に対応する同形状に成る上器体に前記下器体の凹型部に嵌合する凸型部を設けて成る食用カップメーカーであり、このように成る下器体及び上器体の各一側部には着脱し得るように成る開閉弁を設けて成るものである。
【発明の効果】
【０００７】
本発明に係る物品は食用カップ自体を製作するための専用器具であり、下器体の凹型部内に所定の食材生地を注入した後、上器体を閉口して凸型部を対応する下器体の凹型部に嵌合して下器体上に載置し、これをガスレンジや電子レンジ等に置いて加熱すれば、何人も所定の食用カップを製作することができるのである。
【０００８】
また、使用後に上下両器体の洗浄などのために，上下両器体の開閉弁を容易に離脱することができるし、その連結も迅速かつ容易にすることができ、家庭用としても業務用としても利便性の高い器具となっているのである。
【図面の簡単な説明】
【０００９】
【図１】上下両器体を嵌合した状態全体の斜視図
【図２】（Ａ）（Ｂ）は上下両器体を分離した状態の各斜視図
【図３】上下両器体の開閉弁の作用状態を示す要部の側面図
【図４】下器体の平面図
【図５】図４Ａ−Ａ線断面図
【図６】上器体の平面図
【図７】図６Ｂ−Ｂ線の断面図
【図８】カップ成形後の上下両器体の斜視図
【発明を実施するための形態】
【００１０】
本器具においては、構成が全く相違する上器体と下器体から成るものであるため、使用時には、まず上器体の全体を開口しなければならないが、下器体側の開閉弁の雌弁部に対し上器体側の開閉弁の雄弁部を作動して垂直方向に立ち上げる。
【００１１】
下器体の凹型部にカップとなる食材生地を注入した後は、上器体の凸型部を、対応する前記凹型部に嵌合する。
【００１２】
以上の作用は柄体を把持して行うが、上器体と下器体との開閉弁部の作用については図３（ａ）（ｂ）（ｃ）に詳しく図示しているから、参照されたい。
【００１３】
本器具を使用し食用カップを製作した後に、器具全体を洗浄をしたいときは、下器体の開閉弁の雌弁部から上器体の開閉弁の雄弁部を離脱することになるが、このとき上器体側の開閉弁の雄弁部を垂直方向にして持ち上げれば、その掛止部は下器体側の開閉弁の開口部から抜け出るから、外すことができるようになる。
【００１４】
以上の作用も柄体を把持して行うが、上器体と下器体との開閉弁の作用については図３（ｄ）（ｅ）を参照されたい。
【００１５】
下器体の凹型部内に、成形しようとする大小カップの食材生地を注入した後、上器体の凸型部を前記凹型部に嵌合した後、この上下器体を電子レンジ等に置けば、凹型部内においては食用となるカップが出き上がって製作されることになる。
【００１６】
製作後は、各カップを下器体の凹型部から取り出せばよく、取り出した後、人は任意の食材をカップ内に収容すればよい。（図８参照）
【００１７】
なお、本発明によるカップメーカーでは、カップを加熱して製作するだけではなく、冷凍化してシャーベット状のカップを製作することもできるのである。
【実施例】
【００１８】
発明の名称において「食用カップ」とあるのは、種々の食材を内部に収容し、それ自体は食することができる食用のカップのことをいうのであり、内部に収容する食材と共に口に運んで食するものである。
【００１９】
このカップについて、図面ではその周囲に凹溝部が形成されているのは、紙などで製作するカップの形状を連想しており、通常、紙製品は塵として捨てられるものであるが、本発明に係るカップ自体はケーキとして食用となる生地材料で製作するものであるから、その中味と共に口に入るものとなり、その周囲の凹溝形は一種の模様部なのである。
【００２０】
１は全体が周縁部を有して任意形状に成る下器体で、この下器体の材質は問わず、金属製でも合成樹脂製でもよい。
【００２１】
３・・は前記下器体１の水平面部２から下方部に突設した大小任意形状の凹型部で、この凹型部の深さは任意であるが、その周壁面には凹溝など適当な模様部４・・を形成する。
【００２２】
５は前記下器体１の一側部の上辺部に水平に設けた開閉弁の雌弁部で、この雌弁部は前記下器体の水平面部２と水平方向に設ける。前記雌弁部５は水平上に適当巾の開口部６を設けている。
【００２３】
７は前記下器体１の他側部の上辺部に水平に設けた柄体で、この柄体の形状は任意である。
【００２４】
以上、下器体１の構成全体については、図２（Ａ）及び図４，図５において記載している。
【００２５】
８は全体が周縁部を有して任意形状に成る上器体で、この上器体の材質も問わない。
【００２６】
１０・・は前記上器体８の水平面部９から下方部に突設した大小任意形状の凸型部で、この凸型部の深さは任意であるが、それぞれ対応する前記下器体１の凹型部３・・に嵌合するようになるものである。
【００２７】
この上器体８の凸型部１０・・が下器体１の凹型部３・・に嵌合した時は凹型部周壁面の模様部４・・との間には十分な間隙が形成されることになり、この間隙部には、カップ構成の食材が薄く均一に埋まるようになる。
【００２８】
１１は前記上器体８の一側部の上辺部に水平に設けた開閉弁の雄弁部で、この雄弁部は水平の突起部１２と直角に一段落した掛止部１３とから成り、この掛止部１３を前記下器体１の開口部６に係合すれば、雌雄開閉弁が構成されることになる。この両者の係合関係については、図３（ａ）→（ｅ）において示している。
【００２９】
１４は前記上器体８の他側部の上辺部に水平に設けた柄体で、この柄体の形状は任意である。
【００３０】
以上、上器体８の構成全体については、図２（Ｂ）及び図６，図７において記載している。
【００３１】
下器体１の凹型部３・・内にカップ用の生地材料を収容した後に、上器体８の凸型部１０・・を嵌合して閉口した状態は、図１において記載されている。
【００３２】
また、本器具によって製作したカップｘ自体は、その中味の食材ｙとともに図８において表現している。下器体１の凹型部３・・の周壁面に構成されている凹溝上の模様部４・・は、カップｘの周面模様体として表現されることになる。
【符号の説明】
【００３３】
１                            下器体
２                            水平面部
３・・                        凹型部
４・・                        模様部
５                            雌弁部
６・・                        開口部
７                            柄体
８                            上器体
９                            水平面部
１０・・                      凸型部
１１                          雄弁部
１２                          突起部
１３                          掛止部
１４                          柄体
ｘ                            カップ
ｙ                            食材
【図１】
2016171970.tif 000003
【図２】
2016171970.tif 000004
【図３】
2016171970.tif 000005
【図４】
2016171970.tif 000006
【図５】
2016171970.tif 000007
【図６】
2016171970.tif 000008
【図７】
2016171970.tif 000009
【図８】
2016171970.tif 000010